(57)【要約】【課題】本発明はマイクロコンピュータを用いた加熱調理器に関するものであり、調理終了や調理の進行状況を小電力無線付携帯端末へ送信することで、使用者が加熱調理器から離れた場所にいたとしても、調理終了や調理の進行状況を把握することができ、使い勝手の良い加熱調理器を提供することを目的とする。【解決手段】加熱室２と、加熱手段１２と、制御手段１０と、温度検出手段１３と、入力手段４と、表示手段３と、情報送信手段９とを備え、前記情報送信手段は、調理終了時の報知や調理進行状況、前記加熱室内の温度等を小電力無線付携帯端末へ送信できる構成とし、使用者が加熱調理器から離れた場所にいたとしても、調理終了や調理の進行状況を把握することができるのである。【選択図】  図２
2004190883.tif 000002
【特許請求の範囲】
【請求項１】
被加熱物を収納する加熱室と、前記被加熱物を加熱する加熱手段と、前記加熱手段を制御する制御手段と、前記加熱室内の温度を検出する温度検出手段と、加熱出力や加熱時間を設定する入力手段と、設定された条件を表示する表示手段と、調理情報を小電力無線付携帯端末へ送信する情報送信手段とを備え、前記情報送信手段は、調理終了時の報知情報または調理進行状況や前記加熱室内の情報を小電力無線付携帯端末へ送信することを特徴とした加熱調理器。
【請求項２】
入力手段は、調理情報お知らせキーを有し、前記調理情報お知らせキーの入力に応じて、小電力無線付携帯端末へ送信する各種調理情報の種類や送信の有無等が設定できる請求項１に記載の加熱調理器。
【請求項３】
表示手段は、入力手段の調理情報お知らせキーの入力に応じて、小電力無線付携帯端末へ送信する各種調理情報の種類や送信の有無等の区別ができる表示を行う請求項１に記載の加熱調理器。
【請求項４】
入力手段は、端末選択キーを有し、前期端末選択キーの入力に応じて、希望する特定の小電力無線付携帯端末、あるいは、複数の小電力無線付携帯端末への送信の有無が設定できる請求項１に記載の加熱調理器。
【請求項５】
表示手段は、入力手段の端末選択キーの入力に応じて、特定の小電力無線付携帯端末、あるいは、複数の小電力無線付携帯端末への送信の有無等の区別ができる表示を行う請求項１に記載の加熱調理器。
【請求項６】
入力手段は、端末探索キーと端末探索確定キーを有し、前期端末探索キーの入力に応じて、探索を希望する特定の小電力無線付携帯端末、あるいは、複数の小電力無線付携帯端末を選択し、前期端末探索確定キーの入力に応じて、探索の送信を行い、小電力無線付携帯端末の所在を明らかにする請求項１に記載の加熱調理器。
【請求項７】
表示手段は、入力手段の端末探索キーの入力に応じて、探索を希望する特定の小電力無線付携帯端末、あるいは、複数の小電力無線付携帯端末への送信の有無等の区別ができる表示を行う請求項１に記載の加熱調理器。
【発明の詳細な説明】
【０００１】
【発明の属する技術分野】
本発明は、マイクロコンピュータを用いた加熱調理器に関するものである。
【０００２】
【従来の技術】
マイクロコンピュータによって制御される加熱調理器において、調理終了時の報知や調理進行状況は、加熱調理器から発する報知音や加熱調理器の表示手段を用いて、使用者にお知らせしていた（例えば、特許文献１参照。）。
【０００３】
また、小電力無線付携帯電話端末を利用する出願としては、加熱調理器に小電力無線受信装置を設け、小電力無線付携帯電話端末がインターネットなどの宅外ネットワークより提供された加熱調理器に関する情報を加熱調理器へ送信するものがある（例えば、特許文献２参照。）。
【０００４】
【特許文献１】
特開２００２−１５６１２３号公報
【特許文献２】
特開２００１−３４３１２７号公報
【０００５】
【発明が解決しようとする課題】
しかしながら、上記のように、従来の加熱調理器においては、調理終了や調理の進行状況を把握する為には、使用者が加熱調理器の周辺にいる必要があり、絶えず、その進行状況に注意を払っておかなければならないという課題を有していた。
【０００６】
本発明は、前記従来の課題を解決するもので、調理終了や調理の進行状況を使用者が所持する小電力無線付携帯端末へ送信することで、使用者が加熱調理器から離れた場所にいたとしても、調理終了や調理の進行状況を把握することができ、使い勝手の良い加熱調理器を提供することを目的とする。
【０００７】
【課題を解決するための手段】
上記課題を解決するために、本発明の加熱調理器は、下記の構成とした。すなわち、被加熱物を収納する加熱室と、前記被加熱物を加熱する加熱手段と、前記加熱手段を制御する制御手段と、前記加熱室内の温度を検出する温度検出手段と、加熱出力の種類や加熱時間等を設定する為の入力手段と、設定された各種条件を表示する表示手段と、各種調理情報を小電力無線付携帯端末へ送信する情報送信手段とを備え、前記情報送信手段は、調理終了時の報知や調理進行状況、前記加熱室内の温度等を小電力無線付携帯端末へ送信可能としたものである。これによって、使用者が加熱調理器から離れた場所にいたとしても、調理終了や調理の進行状況を把握することができ、使い勝手が向上するのである。
【０００８】
【発明の実施の形態】
請求項１に記載の発明は、被加熱物を収納する加熱室と、前記被加熱物を加熱する加熱手段と、前記加熱手段を制御する制御手段と、前記加熱室内の温度を検出する温度検出手段と、加熱出力の種類や加熱時間等を設定する為の入力手段と、設定された各種条件を表示する表示手段と、各種調理情報を小電力無線付携帯端末へ送信する情報送信手段とを備え、前記情報送信手段は、調理終了時の報知や調理進行状況、前記加熱室内の温度等を小電力無線付携帯端末へ送信可能とすることにより、使用者は加熱調理器から離れた場所にいたとしても、調理終了や調理の進行状況を把握することができ、使い勝手が向上するのである。
【０００９】
請求項２に記載の発明は、特に、請求項１に記載の入力手段において、入力手段は、調理情報お知らせキーを有し、前記調理情報お知らせキーの入力に応じて、小電力無線付携帯端末へ送信する各種調理情報の種類や送信の有無等が設定できることにより、使用者の希望に応じて、調理情報の種類や送信そのものの有無を選択でき、使い勝手が向上するのである。
【００１０】
請求項３に記載の発明は、特に、請求項１に記載の表示手段において、表示手段は、入力手段の調理情報お知らせキーの入力に応じて、小電力無線付携帯端末へ送信する各種調理情報の種類や送信の有無等の区別ができる表示を行うことにより、使用者にとって、送信する内容や送信の有無の設定状態が理解しやすくなり、操作性が向上するのである。
【００１１】
請求項４に記載の発明は、特に、請求項１に記載の入力手段において、入力手段は、端末選択キーを有し、前期端末選択キーの入力に応じて、希望する特定の小電力無線付携帯端末、あるいは、複数の小電力無線付携帯端末への送信の有無が設定できることにより、使用者の希望に応じて、送信する小電力無線付携帯端末を選択でき、使い勝手が向上するのである。
【００１２】
請求項５に記載の発明は、特に、請求項１に記載の表示手段において、表示手段は、入力手段の端末選択キーの入力に応じて、特定の小電力無線付携帯端末、あるいは、複数の小電力無線付携帯端末への送信の有無等の区別ができる表示を行うことにより、使用者にとって、送信する小電力無線付携帯端末を選択しやすくなり、操作性が向上するのである。
【００１３】
請求項６に記載の発明は、特に、請求項１に記載の入力手段において、入力手段は、端末探索キーと端末探索確定キーを有し、前期端末探索キーの入力に応じて、探索を希望する特定の小電力無線付携帯端末、あるいは、複数の小電力無線付携帯端末を選択し、前期端末探索確定キーの入力に応じて、探索の送信を行い、小電力無線付携帯端末が受信することで、小電力無線付携帯端末の所在を明らかにすることができ、使用者にとって、使い勝手が向上するのである。
【００１４】
請求項７に記載の発明は、特に、請求項１に記載の表示手段において、表示手段は、入力手段の端末探索キーの入力に応じて、探索を希望する特定の小電力無線付携帯端末、あるいは、複数の小電力無線付携帯端末への送信の有無等の区別ができる表示を行うことにより、使用者にとって、探索する小電力無線付携帯端末を選択しやすくなり、操作性が向上するのである。
【００１５】
【実施例】
図１は加熱調理器の概略図である。図２は本発明の制御回路のブロック図である。図３は、調理終了の送信設定有り時の表示図である。図４は、小電力無線付携帯端末へ送信する各種調理情報の種類や送信の有無等の選択時表示図である。図５は、小電力無線付携帯端末の端末選択時表示図である。図６は、小電力無線付携帯端末の探索端末選択時表示図である。
【００１６】
図１に示すように加熱調理器１は、被加熱物を収納する為の加熱室２と加熱出力の種類や加熱時間等を表示する為の表示手段３を有し、各種条件の設定等に使用する入力手段４を有している。そして、入力手段４は、調理情報お知らせキー５と端末選択キー６と端末探索キー７と端末探索確定キー８を有している。また、加熱調理器１は、各種調理情報を小電力無線付携帯端末へ送信する情報送信手段９を有している。
【００１７】
図２は制御回路のブロック図であり、本発明の加熱調理器１は制御手段１０により制御される。そして、制御手段１０はマイクロコンピュータ１１を有しており、マイクロコンピュータ１１のプログラムにより実際の制御を行う。
【００１８】
マイクロコンピュータ１１は、キーボード等の入力手段４から如何なるキーが押されたかのキー情報を読み込む。そして、その入力されたキー情報に基づいて表示手段３及び加熱手段１２を駆動する。さらに、マイクロコンピュータ１１は、温度検出手段１３から加熱室の温度情報を読み込む。そして、入力した温度情報に基づいて加熱手段１２を制御する。
【００１９】
図３は、調理終了の送信設定有り時の表示図である。使用する加熱出力の種類や調理時間表示とは、別に、情報送信手段９により、調理終了時に小電力無線付携帯端末へお知らせする設定になっており、かつ、全ての小電力無線付携帯端末へ送信する設定であることを示している。
【００２０】
図４は、小電力無線付携帯端末へ送信する各種調理情報の種類や送信の有無等の選択時表示図である。情報送信手段９から小電力無線付携帯端末へ送信する各種調理情報の種類や送信の有無等の設定を選択する表示を示している。
【００２１】
図５は、小電力無線付携帯端末の端末選択時表示図である。特定の小電力無線付携帯端末か、あるいは、複数の小電力無線付携帯端末へ各種情報を送信するかの設定を選択する表示を示している。
【００２２】
図６は、小電力無線付携帯端末の探索端末選択時表示図である。探索を希望する特定の小電力無線付携帯端末か、あるいは、複数の小電力無線付携帯端末かの設定を選択する表示を示している。
【００２３】
上記の構成において以下に実施例を順次説明していく。
【００２４】
（実施例１）
一例として、使用者が調理終了時のお知らせを小電力無線付携帯端末で受信する場合について説明する。まず、使用者は、調理開始前に図１の調理情報お知らせキー５を入力する。入力された調理情報お知らせキー５のキーデータは、図２のマイクロコンピュータ１１に送られる。そして、マイクロコンピュータ１１は、表示手段３を駆動し、図４の表示を行う。図４は、情報送信手段９から小電力無線付携帯端末へ送信する各種調理情報の種類や送信の有無等の設定を選択する表示を示し、調理情報お知らせキー５の入力に応じて、調理終了の送信設定有りや裏返し指示の送信設定有り、送信設定無し等が選択可能である。選択された項目は、背景色を変え、他の項目と区別できるようにする。よって、使用者は、図４の選択表示を用いて、調理終了の送信設定有りを選択する。
【００２５】
次に、使用者は、図１の端末選択キー６を入力する。入力された端末選択キー６のキーデータは、図２のマイクロコンピュータ１１に送られる。そして、マイクロコンピュータ１１は、表示手段３を駆動し、図５の表示を行う。図５は、各種情報をどの小電力無線付携帯端末へ送信するかを選択する表示を示し、端末選択キー６の入力に応じて、特定の小電力無線付携帯端末か、あるいは、複数の小電力無線付携帯端末かを選択可能である。選択された項目は、背景色を変え、他の項目と区別できるようにする。よって、使用者は、図５の選択表示を用いて、全端末を選択する。
【００２６】
選択完了後、調理に必要な加熱出力の種類や加熱時間等を設定し、調理をスタートさせると、図２のマイクロコンピュータ１１は、加熱手段１２を駆動し、加熱を開始する。そして、表示手段３を駆動し、図３の表示を行う。図３は、調理終了の送信設定有り時の表示図である。使用する加熱出力の種類や調理時間表示とは、別に、情報送信手段９により、調理終了時に小電力無線付携帯端末へお知らせし、かつ、全ての小電力無線付携帯端末へ送信する設定になっていることを示している。そして、図２のマイクロコンピュータ１１は、調理時間をカウントし、調理時間が０となると、調理終了と判断し、図２の加熱手段１２を停止し、図１の情報送信手段９を駆動する。この時、マイクロコンピュータ１１は、情報送信手段９を用いて、調理終了の送信データを全ての小電力無線付携帯端末へ送信する。従って、使用者は加熱調理器から離れた場所にいたとしても、調理終了を複数個の小電力無線付携帯端末で受信でき、確実に調理終了を知ることができるのである。
【００２７】
また、調理情報お知らせキー５の入力に応じて、調理終了の送信設定有りや裏返し指示の送信設定有り、送信設定無し等の選択、そして、端末選択キー６の入力に応じて、特定の小電力無線付携帯端末か、あるいは、複数の小電力無線付携帯端末への送信を行うかの選択は、調理開始前だけでなく、調理開始後においても可能とするものである。
【００２８】
（実施例２）
次に、使用者が複数の小電力無線付携帯端末を所持している場合に、ある特定の小電力無線付携帯端末を置き忘れてしまう場合が発生する。この際、使用者が置き忘れた小電力無線付携帯端末を探索する場合について説明する。
【００２９】
まず、使用者は、図１の端末探索キー７を入力する。入力された端末探索キー７のキーデータは、図２のマイクロコンピュータ１１に送られる。そして、マイクロコンピュータ１１は、表示手段３を駆動し、図６の表示を行う。図６は、探索を希望する端末が、ある特定の小電力無線付携帯端末か、あるいは、複数の小電力無線付携帯端末かを選択する表示を示している。選択された項目は、背景色を変え、他の項目と区別できるようにする。よって、一例として、使用者は、図６の選択表示を用いて、探索端末として、Ａ端末を選択する。
【００３０】
そして、使用者は、選択完了後、図１の端末探索確定キー８を入力する。入力された端末探索確定キー８のキーデータは、図２のマイクロコンピュータ１１に送られる。そして、マイクロコンピュータ１１は、情報送信手段９を駆動する。よって、この後、送信設定されているＡ端末は、送信情報を受信する。そして、受信後、Ａ端末は、所在が明らかになるように、報知音や受信用の表示等を使い使用者に報知する。従って、使用者は、探索を希望するＡ端末を簡単に発見することができるのである。
【００３１】
【発明の効果】
以上の説明から明らかなように、本発明によれば、下記の効果がある。
【００３２】
調理終了や調理の進行状況を使用者が所持する小電力無線付携帯端末へ送信することで、使用者が加熱調理器から離れた場所にいたとしても、調理終了や調理の進行状況を把握することができ、使い勝手が向上する。
【図面の簡単な説明】
【図１】本発明の実施例における加熱調理器の概略図
【図２】本発明の実施例における制御回路のブロック図
【図３】本発明の実施例における調理終了の送信設定有り時の表示図
【図４】本発明の実施例における小電力無線付携帯端末へ送信する各種調理情報の種類や送信の有無等の選択時表示図
【図５】本発明の実施例における小電力無線付携帯端末の端末選択時表示図
【図６】本発明の実施例における小電力無線付携帯端末の探索端末選択時表示図
【符号の説明】
１  加熱調理器
２  加熱室
３  表示手段
４  入力手段
５  調理情報お知らせキー
６  端末選択キー
７  端末探索キー
８  端末探索確定キー
９  情報送信手段
１０  制御手段
１１  マイクロコンピュータ
１２  加熱手段
１３  温度検出手段
【図１】
2004190883.tif 000003
【図２】
2004190883.tif 000004
【図３】
2004190883.tif 000005
【図４】
2004190883.tif 000006
【図５】
2004190883.tif 000007
【図６】
2004190883.tif 000008